(57)【特許請求の範囲】
【請求項１】
監視場所の異常を検出し通信回線を通じて通報するとともに、監視場所をカメラで撮影して画像を通信回線を介し送信する監視通報方法であって、
監視サーバー装置と、前記監視サーバー装置に通信回線を介して接続された監視装置と、前記監視サーバー装置に通信回線を介して接続されたメールサーバー装置と、前記監視サーバー装置および前記メールサーバー装置に通信回線を介して接続された携帯型の第１の通信端末装置とを含み、前記監視装置はセンサーにより異常を検出した際にカメラ装置により監視場所を撮影して得られた画像データを前記監視サーバー装置に送信するシステムで実行され、
監視サーバー装置制御ステップと、第１の通信端末装置制御ステップとを含み、
前記監視サーバー装置制御ステップは、
前記監視装置の前記カメラ装置が撮影した画像のデータを前記監視装置から前記通信回線を通じて受信する画像データ受信ステップと、
前記画像データ受信ステップで受信した前記画像データを、記憶装置における所定名称のディレクトリの所定名称のファイルとして格納するとともに、外部からの要求に応じて前記ファイルを送信する画像データ送信ステップと、
前記画像データ受信ステップで前記画像データを受信したとき、前記画像データ送信ステップで格納した前記画像データの前記ファイルの名称、前記ディレクトリの名称、ならびに前記監視サーバー装置を識別する情報を含んで異常発生を通知する、前記第１の通信端末装置の利用者宛の電子メールを前記通信回線を通じて前記メールサーバー装置に送信するメール送信ステップとを含み、
前記第１の通信端末装置制御ステップは、
前記第１の通信端末装置の入力手段に対する操作にもとづき前記通信回線を通じ前記メールサーバー装置をアクセスして電子メールを取得するメール受信ステップと、
前記メール受信ステップで受信した電子メールに含まれる文字情報を前記第１の通信端末装置の出力手段に表示させるメール表示ステップと、
前記入力手段に対する操作にもとづき前記通信回線を通じ前記監視サーバー装置の前記画像データ送信ステップで送信する前記画像データを取得し同画像データにもとづき前記出力手段に画像を表示させる画像表示ステップとを含むことを特徴とする監視通報方法。
【請求項２】
前記監視装置は赤外線センサーにより異常を検出することを特徴とする請求項１記載の監視通報方法。
【請求項３】
監視場所の異常を検出し通信回線を通じて通報するとともに、監視場所をカメラで撮影して画像を通信回線を介し送信する監視通報方法であって、
監視サーバー装置と、前記監視サーバー装置に通信回線を介して接続された監視装置と、前記監視サーバー装置に通信回線を介して接続されたメールサーバー装置と、前記メールサーバー装置に通信回線を介して接続された携帯型の第１の通信端末装置とを含み、前記監視装置は、センサーにより異常を検出した際にカメラ装置により監視場所を撮影して得られた画像データを前記監視サーバー装置に送信するシステムで実行され、
監視サーバー装置制御ステップと、第１の通信端末装置制御ステップとを含み、
前記監視サーバー装置制御ステップは、
前記監視装置の前記カメラ装置が撮影した画像のデータを前記監視装置から前記通信回線を通じて受信する画像データ受信ステップと、
前記画像データ受信ステップで前記画像データを受信したとき、前記画像データ受信ステップで受信した前記画像データを含んで異常発生を通知する、前記第１の通信端末装置の利用者宛の電子メールを前記通信回線を通じて前記メールサーバー装置に送信するメール送信ステップとを含み、
前記第１の通信端末装置制御ステップは、
前記第１の通信端末装置の入力手段に対する操作にもとづき前記通信回線を通じ前記メールサーバー装置をアクセスして電子メールを取得するメール受信ステップと、
前記メール受信ステップで受信した電子メールに含まれる文字情報を出力手段に表示させるメール表示ステップと、
前記メール受信ステップで受信した電子メールに含まれる画像データにもとづき前記第１の通信端末装置の出力手段に画像を表示させる画像表示ステップとを含むことを特徴とする監視通報方法。
【請求項４】
前記画像データ受信ステップで受信した前記画像データに対して画像サイズを縮小すべく加工を行って前記メール送信ステップで送信する前記画像データとする画像加工ステップを含むことを特徴とする請求項３記載の監視通報方法。
【請求項５】
監視場所の異常を検出し通信回線を通じて通報するとともに、監視場所をカメラで撮影して画像を通信回線を介し送信する監視通報システムであって、
監視サーバー装置と、前記監視サーバー装置に通信回線を介して接続された監視装置と、前記監視サーバー装置に通信回線を介して接続されたメールサーバー装置と、前記監視サーバー装置および前記メールサーバー装置に通信回線を介して接続された携帯型の第１の通信端末装置とを含み、
前記監視装置は、
監視場所に侵入した人、動物、または物体を検出して電気信号を出力するセンサーと、
監視場所を撮影し撮影結果を表す所定形式の画像データを出力するカメラ装置と、
前記センサーが検出信号を出力したとき、前記カメラ装置が出力する前記画像データを前記通信回線を通じて前記監視サーバー装置に送信する第２の通信端末装置とを含み、
前記監視サーバー装置は、
前記監視装置の前記第２の通信端末装置から前記通信回線を通じて前記画像データを受信する画像データ受信手段と、
前記画像データ受信手段が受信した前記画像データを、記憶装置における所定名称のディレクトリの所定名称のファイルとして格納するとともに、外部からの要求に応じて前記ファイルを送信する画像データ送信手段と、
前記画像データ受信手段が前記画像データを受信したとき、前記画像データ送信手段が格納した前記画像データの前記ファイルの名称、前記ディレクトリの名称、ならびに前記監視サーバー装置を識別する情報を含んで異常発生を通知する、前記第１の通信端末装置の利用者宛の電子メールを前記通信回線を通じて前記メールサーバー装置に送信するメール送信手段とを含み、
前記第１の通信端末装置は、
利用者が操作する入力手段と、
文字および画像を表示する出力手段と、
前記入力手段に対する操作にもとづき前記通信回線を通じ前記メールサーバー装置をアクセスして電子メールを取得するメール受信手段と、
前記メール受信手段が受信した電子メールに含まれる文字情報を前記出力手段に表示させるメール表示手段と、
前記入力手段に対する操作にもとづき前記通信回線を通じ前記監視サーバー装置の前記画像データ送信手段より前記画像データを取得し同画像データにもとづき前記出力手段に画像を表示させる画像表示手段とを含むことを特徴とする監視通報システム。
【請求項６】
前記カメラ装置が出力する前記画像データは所定形式の１つ、または複数の画像ファイルを構成し、前記監視サーバー装置の前記画像データ受信手段は前記画像ファイルを受信することを特徴とする請求項５記載の監視通報システム。
【請求項７】
監視場所の異常を検出し通信回線を通じて通報するとともに、監視場所をカメラで撮影して画像を通信回線を介し送信する監視通報システムであって、
監視サーバー装置と、前記監視サーバー装置に通信回線を介して接続された監視装置と、前記監視サーバー装置に通信回線を介して接続されたメールサーバー装置と、前記メールサーバー装置に通信回線を介して接続された携帯型の第１の通信端末装置とを含み、
前記監視装置は、
監視場所に侵入した人、動物、または物体を検出して電気信号を出力するセンサーと、
監視場所を撮影し撮影結果を表す所定形式の画像データを出力するカメラ装置と、
前記センサーが検出信号を出力したとき、前記カメラ装置が出力する前記画像データを前記通信回線を通じて前記監視サーバー装置に送信する第２の通信端末装置とを含み、
前記監視サーバー装置は、
前記監視装置の前記第２の通信端末装置から前記通信回線を通じて前記画像データを受信する画像データ受信手段と、
前記画像データ受信手段が前記画像データを受信したとき、前記画像データ受信手段が受信した前記画像データを含んで異常発生を通知する、前記第１の通信端末装置の利用者宛の電子メールを前記通信回線を通じて前記メールサーバー装置に送信するメール送信手段とを含み、
前記第１の通信端末装置は、
利用者が操作する入力手段と、
文字および画像を表示する出力手段と、
前記入力手段に対する操作にもとづき前記通信回線を通じ前記メールサーバー装置をアクセスして電子メールを取得するメール受信手段と、
前記メール受信手段が受信した電子メールに含まれる文字情報を前記出力手段に表示させるメール表示手段と、
前記メール受信手段が受信した電子メールに含まれる画像データにもとづき前記出力手段に画像を表示させる画像表示手段とを含むことを特徴とする監視通報システム。
【請求項８】
前記画像データ受信手段が受信した前記画像データに対して画像サイズを縮小すべく加工を行って前記メール送信手段に供給する画像加工手段を含むことを特徴とする請求項７記載の監視通報システム。
【請求項９】
監視場所の異常を検出し通信回線を通じて通報するとともに、監視場所をカメラで撮影して画像を通信回線を介し送信する監視通報プログラムを記録した情報記録媒体であって、
前記監視通報プログラムは、
監視サーバー装置と、前記監視サーバー装置に通信回線を介して接続された監視装置と、前記監視サーバー装置に通信回線を介して接続されたメールサーバー装置と、前記監視サーバー装置および前記メールサーバー装置に通信回線を介して接続された携帯型の第１の通信端末装置とを含み、前記監視装置はセンサーにより異常を検出した際にカメラ装置により監視場所を撮影して得られた画像データを前記監視サーバー装置に送信するシステムで実行され、
監視サーバー装置制御ステップと、第１の通信端末装置制御ステップとを含み、
前記監視サーバー装置制御ステップは、
前記監視装置の前記カメラ装置が撮影した画像のデータを前記監視装置から前記通信回線を通じて受信する画像データ受信ステップと、
前記画像データ受信ステップで受信した前記画像データを、記憶装置における所定名称のディレクトリの所定名称のファイルとして格納するとともに、外部からの要求に応じて前記ファイルを送信する画像データ送信ステップと、
前記画像データ受信ステップで前記画像データを受信したとき、前記画像データ送信ステップで格納した前記画像データの前記ファイルの名称、前記ディレクトリの名称、ならびに前記監視サーバー装置を識別する情報を含んで異常発生を通知する、前記第１の通信端末装置の利用者宛の電子メールを前記通信回線を通じて前記メールサーバー装置に送信するメール送信ステップとを含み、
前記第１の通信端末装置制御ステップは、
前記第１の通信端末装置の入力手段に対する操作にもとづき前記通信回線を通じ前記メールサーバー装置をアクセスして電子メールを取得するメール受信ステップと、
前記メール受信ステップで受信した電子メールに含まれる文字情報を前記第１の通信端末装置の出力手段に表示させるメール表示ステップと、
前記入力手段に対する操作にもとづき前記通信回線を通じ前記監視サーバー装置の前記画像データ送信ステップで送信する前記画像データを取得し同画像データにもとづき前記出力手段に画像を表示させる画像表示ステップとを含むことを特徴とする監視通報プログラムを記録したコンピュータ読み取り可能な情報記録媒体。
【請求項１０】
前記監視通報プログラムは、前記監視装置から前記画像データを受信したか否かを検出し、前記画像データの受信を検出したとき、前記メール送信ステップを起動する受信検出ステップをさらに含むことを特徴とする請求項９記載の監視通報プログラムを記録したコンピュータ読み取り可能な情報記録媒体。
【請求項１１】
監視場所の異常を検出し通信回線を通じて通報するとともに、監視場所をカメラで撮影して画像を通信回線を介し送信する監視通報プログラムを記録したコンピュータ読み取り可能な情報記録媒体であって、
前記監視通報プログラムは、
監視サーバー装置と、前記監視サーバー装置に通信回線を介して接続された監視装置と、前記監視サーバー装置に通信回線を介して接続されたメールサーバー装置と、前記メールサーバー装置に通信回線を介して接続された携帯型の第１の通信端末装置とを含み、前記監視装置は、センサーにより異常を検出した際にカメラ装置により監視場所を撮影して得られた画像データを前記監視サーバー装置に送信するシステムで実行され、
監視サーバー装置制御ステップと、第１の通信端末装置制御ステップとを含み、
前記監視サーバー装置制御ステップは、
前記監視装置の前記カメラ装置が撮影した画像のデータを前記監視装置から前記通信回線を通じて受信する画像データ受信ステップと、
前記画像データ受信ステップで前記画像データを受信したとき、前記画像データ受信ステップで受信した前記画像データを含んで異常発生を通知する、前記第１の通信端末装置の利用者宛の電子メールを前記通信回線を通じて前記メールサーバー装置に送信するメール送信ステップとを含み、
前記第１の通信端末装置制御ステップは、
前記第１の通信端末装置の入力手段に対する操作にもとづき前記通信回線を通じ前記メールサーバー装置をアクセスして電子メールを取得するメール受信ステップと、
前記メール受信ステップで受信した電子メールに含まれる文字情報を出力手段に表示させるメール表示ステップと、
前記メール受信ステップで受信した電子メールに含まれる画像データにもとづき前記第１の通信端末装置の出力手段に画像を表示させる画像表示ステップとを含むことを特徴とする監視通報プログラムを記録したコンピュータ読み取り可能な情報記録媒体。
【請求項１２】
前記カメラ装置が出力する前記画像データは所定形式の１つ、または複数の画像ファイルを構成し、前記画像データ受信ステップでは前記画像ファイルを受信し、前記メール送信ステップでは前記画像データ受信ステップで受信した前記画像ファイルを電子メールに添付して前記メールサーバー装置に送信することを特徴とする請求項１１記載の監視通報プログラムを記録したコンピュータ読み取り可能な情報記録媒体。
【発明の詳細な説明】
【０００１】
【発明の属する技術分野】
本発明は、監視場所の異常を検出し通信回線を通じて通報するとともに、監視場所をカメラで撮影して画像を通信回線を介し送信する監視通報方法および監視通報システム、ならびに監視通報プログラムを記録したコンピュータ読み取り可能な情報記録媒体に関するものである。
【０００２】
【従来の技術】
遠隔地の特定の場所に設置された監視カメラにより周辺を撮影し、監視カメラで撮影した画像を通信回線を介し伝送して、上記特定の場所を遠隔的に監視することが従来より行われている。たとえば、企業などで特定の場所への不正侵入者を遠隔的に監視するような場合、監視カメラを監視場所に設置して、カメラによる撮影画像を電話回線などを通じて、たとえば事務所に送信する。そして事務所では、電話回線に接続されたモデムなどを介してパーソナルコンピュータ（パソコンともいう）などで画像を受信し、パソコンのディスプレーに受信画像を表示でして、建物への不正侵入者を監視することができる。
【０００３】
【発明が解決しようとする課題】
しかし、このような従来の方式では、事務所など一定の場所に画像を伝送して、そこで画像を表示し監視するので、パソコンなど画像の受信手段が設置された場所でしか監視場所の状態を把握することができない。そのため、監視担当者を配置し、担当者に常時、伝送されてきた画像をモニターさせる必要がある。あるいは、人件費を削減すべく、このような人員を配置しないとすると、時間をおいて定期的にモニター画像をチェックするといった方法を採ることになり、その場合には監視効果は低下する。
【０００４】
本発明はこのような問題を解決するためになされたもので、その目的は、監視画像を常時モニターすることなく、監視場所の異常をどこからでも確実に把握できるようにする監視通報方法およびシステム、ならびに監視通報プログラムを記録したコンピュータ読み取り可能な情報記録媒体を提供することにある。
【０００５】
【課題を解決するための手段】
本発明は上記目的を達成するため、監視場所の異常を検出し通信回線を通じて通報するとともに、監視場所をカメラで撮影して画像を通信回線を介し送信する監視通報方法であって、監視サーバー装置と、前記監視サーバー装置に通信回線を介して接続された監視装置と、前記監視サーバー装置に通信回線を介して接続されたメールサーバー装置と、前記監視サーバー装置および前記メールサーバー装置に通信回線を介して接続された携帯型の第１の通信端末装置とを含み、前記監視装置はセンサーにより異常を検出した際にカメラ装置により監視場所を撮影して得られた画像データを前記監視サーバー装置に送信するシステムで実行され、監視サーバー装置制御ステップと、第１の通信端末装置制御ステップとを含み、前記監視サーバー装置制御ステップは、前記監視装置の前記カメラ装置が撮影した画像のデータを前記監視装置から前記通信回線を通じて受信する画像データ受信ステップと、前記画像データ受信ステップで受信した前記画像データを、記憶装置における所定名称のディレクトリの所定名称のファイルとして格納するとともに、外部からの要求に応じて前記ファイルを送信する画像データ送信ステップと、前記画像データ受信ステップで前記画像データを受信したとき、前記画像データ送信ステップで格納した前記画像データの前記ファイルの名称、前記ディレクトリの名称、ならびに前記監視サーバー装置を識別する情報を含んで異常発生を通知する、前記第１の通信端末装置の利用者宛の電子メールを前記通信回線を通じて前記メールサーバー装置に送信するメール送信ステップとを含み、前記第１の通信端末装置制御ステップは、前記第１の通信端末装置の入力手段に対する操作にもとづき前記通信回線を通じ前記メールサーバー装置をアクセスして電子メールを取得するメール受信ステップと、前記メール受信ステップで受信した電子メールに含まれる文字情報を前記第１の通信端末装置の出力手段に表示させるメール表示ステップと、前記入力手段に対する操作にもとづき前記通信回線を通じ前記監視サーバー装置の前記画像データ送信ステップで送信する前記画像データを取得し同画像データにもとづき前記出力手段に画像を表示させる画像表示ステップとを含むことを特徴とする。
【０００６】
また、本発明は、監視場所の異常を検出し通信回線を通じて通報するとともに、監視場所をカメラで撮影して画像を通信回線を介し送信する監視通報方法であって、監視サーバー装置と、前記監視サーバー装置に通信回線を介して接続された監視装置と、前記監視サーバー装置に通信回線を介して接続されたメールサーバー装置と、前記メールサーバー装置に通信回線を介して接続された携帯型の第１の通信端末装置とを含み、前記監視装置は、センサーにより異常を検出した際にカメラ装置により監視場所を撮影して得られた画像データを前記監視サーバー装置に送信するシステムで実行され、監視サーバー装置制御ステップと、第１の通信端末装置制御ステップとを含み、前記監視サーバー装置制御ステップは、前記監視装置の前記カメラ装置が撮影した画像のデータを前記監視装置から前記通信回線を通じて受信する画像データ受信ステップと、前記画像データ受信ステップで前記画像データを受信したとき、前記画像データ受信ステップで受信した前記画像データを含んで異常発生を通知する、前記第１の通信端末装置の利用者宛の電子メールを前記通信回線を通じて前記メールサーバー装置に送信するメール送信ステップとを含み、前記第１の通信端末装置制御ステップは、前記第１の通信端末装置の入力手段に対する操作にもとづき前記通信回線を通じ前記メールサーバー装置をアクセスして電子メールを取得するメール受信ステップと、前記メール受信ステップで受信した電子メールに含まれる文字情報を出力手段に表示させるメール表示ステップと、前記メール受信ステップで受信した電子メールに含まれる画像データにもとづき前記第１の通信端末装置の出力手段に画像を表示させる画像表示ステップとを含むことを特徴とする。
【０００７】
また、本発明は、監視場所の異常を検出し通信回線を通じて通報するとともに、監視場所をカメラで撮影して画像を通信回線を介し送信する監視通報システムであって、監視サーバー装置と、前記監視サーバー装置に通信回線を介して接続された監視装置と、前記監視サーバー装置に通信回線を介して接続されたメールサーバー装置と、前記監視サーバー装置および前記メールサーバー装置に通信回線を介して接続された携帯型の第１の通信端末装置とを含み、前記監視装置は、監視場所に侵入した人、動物、または物体を検出して電気信号を出力するセンサーと、監視場所を撮影し撮影結果を表す所定形式の画像データを出力するカメラ装置と、前記センサーが検出信号を出力したとき、前記カメラ装置が出力する前記画像データを前記通信回線を通じて前記監視サーバー装置に送信する第２の通信端末装置とを含み、前記監視サーバー装置は、前記監視装置の前記第２の通信端末装置から前記通信回線を通じて前記画像データを受信する画像データ受信手段と、前記画像データ受信手段が受信した前記画像データを、記憶装置における所定名称のディレクトリの所定名称のファイルとして格納するとともに、外部からの要求に応じて前記ファイルを送信する画像データ送信手段と、前記画像データ受信手段が前記画像データを受信したとき、前記画像データ送信手段が格納した前記画像データの前記ファイルの名称、前記ディレクトリの名称、ならびに前記監視サーバー装置を識別する情報を含んで異常発生を通知する、前記第１の通信端末装置の利用者宛の電子メールを前記通信回線を通じて前記メールサーバー装置に送信するメール送信手段とを含み、前記第１の通信端末装置は、利用者が操作する入力手段と、文字および画像を表示する出力手段と、前記入力手段に対する操作にもとづき前記通信回線を通じ前記メールサーバー装置をアクセスして電子メールを取得するメール受信手段と、前記メール受信手段が受信した電子メールに含まれる文字情報を前記出力手段に表示させるメール表示手段と、前記入力手段に対する操作にもとづき前記通信回線を通じ前記監視サーバー装置の前記画像データ送信手段より前記画像データを取得し同画像データにもとづき前記出力手段に画像を表示させる画像表示手段とを含むことを特徴とする。
【０００８】
また、本発明は、監視場所の異常を検出し通信回線を通じて通報するとともに、監視場所をカメラで撮影して画像を通信回線を介し送信する監視通報システムであって、監視サーバー装置と、前記監視サーバー装置に通信回線を介して接続された監視装置と、前記監視サーバー装置に通信回線を介して接続されたメールサーバー装置と、前記メールサーバー装置に通信回線を介して接続された携帯型の第１の通信端末装置とを含み、前記監視装置は、監視場所に侵入した人、動物、または物体を検出して電気信号を出力するセンサーと、監視場所を撮影し撮影結果を表す所定形式の画像データを出力するカメラ装置と、前記センサーが検出信号を出力したとき、前記カメラ装置が出力する前記画像データを前記通信回線を通じて前記監視サーバー装置に送信する第２の通信端末装置とを含み、前記監視サーバー装置は、前記監視装置の前記第２の通信端末装置から前記通信回線を通じて前記画像データを受信する画像データ受信手段と、前記画像データ受信手段が前記画像データを受信したとき、前記画像データ受信手段が受信した前記画像データを含んで異常発生を通知する、前記第１の通信端末装置の利用者宛の電子メールを前記通信回線を通じて前記メールサーバー装置に送信するメール送信手段とを含み、前記第１の通信端末装置は、利用者が操作する入力手段と、文字および画像を表示する出力手段と、前記入力手段に対する操作にもとづき前記通信回線を通じ前記メールサーバー装置をアクセスして電子メールを取得するメール受信手段と、前記メール受信手段が受信した電子メールに含まれる文字情報を前記出力手段に表示させるメール表示手段と、前記メール受信手段が受信した電子メールに含まれる画像データにもとづき前記出力手段に画像を表示させる画像表示手段とを含むことを特徴とする。
【０００９】
また、本発明は、監視場所の異常を検出し通信回線を通じて通報するとともに、監視場所をカメラで撮影して画像を通信回線を介し送信する監視通報プログラムを記録した情報記録媒体であって、前記監視通報プログラムは、監視サーバー装置と、前記監視サーバー装置に通信回線を介して接続された監視装置と、前記監視サーバー装置に通信回線を介して接続されたメールサーバー装置と、前記監視サーバー装置および前記メールサーバー装置に通信回線を介して接続された携帯型の第１の通信端末装置とを含み、前記監視装置はセンサーにより異常を検出した際にカメラ装置により監視場所を撮影して得られた画像データを前記監視サーバー装置に送信するシステムで実行され、監視サーバー装置制御ステップと、第１の通信端末装置制御ステップとを含み、前記監視サーバー装置制御ステップは、前記監視装置の前記カメラ装置が撮影した画像のデータを前記監視装置から前記通信回線を通じて受信する画像データ受信ステップと、前記画像データ受信ステップで受信した前記画像データを、記憶装置における所定名称のディレクトリの所定名称のファイルとして格納するとともに、外部からの要求に応じて前記ファイルを送信する画像データ送信ステップと、前記画像データ受信ステップで前記画像データを受信したとき、前記画像データ送信ステップで格納した前記画像データの前記ファイルの名称、前記ディレクトリの名称、ならびに前記監視サーバー装置を識別する情報を含んで異常発生を通知する、前記第１の通信端末装置の利用者宛の電子メールを前記通信回線を通じて前記メールサーバー装置に送信するメール送信ステップとを含み、前記第１の通信端末装置制御ステップは、前記第１の通信端末装置の入力手段に対する操作にもとづき前記通信回線を通じ前記メールサーバー装置をアクセスして電子メールを取得するメール受信ステップと、前記メール受信ステップで受信した電子メールに含まれる文字情報を前記第１の通信端末装置の出力手段に表示させるメール表示ステップと、前記入力手段に対する操作にもとづき前記通信回線を通じ前記監視サーバー装置の前記画像データ送信ステップで送信する前記画像データを取得し同画像データにもとづき前記出力手段に画像を表示させる画像表示ステップとを含むことを特徴とする。
【００１０】
また、本発明は、監視場所の異常を検出し通信回線を通じて通報するとともに、監視場所をカメラで撮影して画像を通信回線を介し送信する監視通報プログラムを記録したコンピュータ読み取り可能な情報記録媒体であって、前記監視通報プログラムは、監視サーバー装置と、前記監視サーバー装置に通信回線を介して接続された監視装置と、前記監視サーバー装置に通信回線を介して接続されたメールサーバー装置と、前記メールサーバー装置に通信回線を介して接続された携帯型の第１の通信端末装置とを含み、前記監視装置は、センサーにより異常を検出した際にカメラ装置により監視場所を撮影して得られた画像データを前記監視サーバー装置に送信するシステムで実行され、監視サーバー装置制御ステップと、第１の通信端末装置制御ステップとを含み、前記監視サーバー装置制御ステップは、前記監視装置の前記カメラ装置が撮影した画像のデータを前記監視装置から前記通信回線を通じて受信する画像データ受信ステップと、前記画像データ受信ステップで前記画像データを受信したとき、前記画像データ受信ステップで受信した前記画像データを含んで異常発生を通知する、前記第１の通信端末装置の利用者宛の電子メールを前記通信回線を通じて前記メールサーバー装置に送信するメール送信ステップとを含み、前記第１の通信端末装置制御ステップは、前記第１の通信端末装置の入力手段に対する操作にもとづき前記通信回線を通じ前記メールサーバー装置をアクセスして電子メールを取得するメール受信ステップと、前記メール受信ステップで受信した電子メールに含まれる文字情報を出力手段に表示させるメール表示ステップと、前記メール受信ステップで受信した電子メールに含まれる画像データにもとづき前記第１の通信端末装置の出力手段に画像を表示させる画像表示ステップとを含むことを特徴とする。
【００１１】
本発明の監視通報方法および本発明の情報記録媒体に記録された監視通報プログラムでは、監視サーバー装置において、画像データ受信ステップで、監視装置のセンサーが異常を検出しカメラ装置が撮影した画像のデータを監視装置から通信回線を通じて受信し、画像データ送信ステップでは、画像データ受信ステップにおいて受信した上記画像データを、記憶装置における所定名称のディレクトリの所定名称のファイルとして格納する。
そして、メール送信ステップでは、画像データ受信ステップで画像データを受信したとき、画像データ送信ステップで格納した画像データのファイルの名称、ディレクトリの名称、ならびに監視サーバー装置を識別する情報を含んで異常発生を通知する、第１の通信端末装置の利用者宛の電子メールを通信回線を通じてメールサーバー装置に送信する。
【００１２】
その後、第１の通信端末装置では、利用者が第１の通信端末装置の入力手段で電子メールを受信すべく操作すると、メール受信ステップで、第１の通信端末装置の入力手段に対する利用者の操作にもとづき通信回線を通じメールサーバー装置をアクセスして電子メールを取得し、メール表示ステップで、上記電子メールに含まれる文字情報を第１の通信端末装置の出力手段に表示させる。
これにより第１の通信端末装置の利用者は監視場所で異常が発生したことを知ることができ、直ちに、電子メールで通知された、監視サーバー装置を識別する情報、ディレクトリの名称、ファイルの名称にもとづいて監視画像を取得すべく入力手段を操作すると、画像表示ステップで、入力手段に対する操作にもとづき通信回線を通じ、監視サーバー装置における画像データ送信ステップで送信する画像データを取得し同画像データにもとづき出力手段に画像を表示させる。利用者はこの画像を見て監視場所の状態を把握することができる。
【００１３】
また、本発明の監視通報方法および本発明の情報記録媒体に記録された監視通報プログラムでは、監視サーバー装置において、画像データ受信ステップにて画像データを受信したとき、メール送信ステップで、画像データ受信ステップで受信した画像データを含んで異常発生を通知する、第１の通信端末装置の利用者宛の電子メールを通信回線を通じてメールサーバー装置に送信する。
【００１４】
そして、第１の通信端末装置の利用者が、第１の通信端末装置の入力手段で電子メールを受信すべく操作すると、第１の通信端末装置において、メール受信ステップで、メールサーバー装置から、上記監視サーバー装置が送信した電子メールを取得し、メール表示ステップでは、この電子メールの内容を文字情報として出力手段に表示させる。また、このとき、画像表示ステップでは、メール受信ステップで受信した電子メールに含まれる画像データにもとづき出力手段に画像を表示させる。利用者はこの画像を見て監視場所の状態を把握することができる。
【００１５】
本発明の監視通報システムでは、監視装置のセンサーは、監視場所に人、動物、または物体が侵入したことを検出すると、そのことを表す電気信号を出力する。これにより、第２の通信端末装置は、カメラ装置が監視場所を撮影して出力する画像データを通信回線を通じて監視サーバー装置に送信する。
【００１６】
監視サーバー装置では、この画像データを画像データ受信手段が通信回線を通じて受信し、画像データ送信手段は、画像データ受信手段が受信した画像データを、記憶装置における所定名称のディレクトリの所定名称のファイルとして格納する。また、このとき、メール送信手段は、画像データ送信手段が格納した画像データのファイルの名称、ディレクトリの名称、ならびに監視サーバー装置を識別する情報を含んで異常発生を通知する、第１の通信端末装置の利用者宛の電子メールを通信回線を通じてメールサーバー装置に送信する。
【００１７】
そして、第１の通信端末装置の利用者が、第１の通信端末装置の入力手段で電子メールを受信すべく操作すると、メール受信手段はメールサーバー装置から、上記監視サーバー装置が送信した電子メールを取得し、メール表示手段は、このメール受信手段が受信した電子メールの内容を文字情報として出力手段に表示させる。
これにより第１の通信端末装置の利用者は監視場所で異常が発生したことを知ることができ、直ちに、電子メールで通知された、監視サーバー装置を識別する情報、ディレクトリの名称、ファイルの名称にもとづいて監視画像を取得すべく入力手段を操作すると、画像表示手段は、通信回線を通じ監視サーバー装置の画像データ送信手段に要求して上記画像データを取得し同画像データにもとづき出力手段に監視場所の画像を表示させる。利用者はこの画像を見て監視場所の状態を把握することができる。
【００１８】
また、本発明の監視通報システムでは、監視サーバー装置のメール送信手段は、画像データ受信手段が画像データを受信したとき、画像データ受信手段が受信した画像データを含んで異常発生を通知する、第１の通信端末装置の利用者宛の電子メールを通信回線を通じてメールサーバー装置に送信する。
【００１９】
そして、第１の通信端末装置の利用者が、第１の通信端末装置の入力手段で電子メールを受信すべく操作すると、メール受信手段はメールサーバー装置から、上記監視サーバー装置が送信した電子メールを取得し、メール表示手段は、このメール受信手段が受信した電子メールの内容を文字情報として出力手段に表示させる。また、このとき、画像表示手段は、メール受信手段が受信した電子メールに含まれる画像データにもとづき出力手段に画像を表示させる。利用者はこの画像を見て監視場所の状態を把握することができる。
【００２０】
このように、本発明では、監視場所で異常が発生した場合には、そのことが電子メールにより通知され、利用者は携帯型の第１の通信端末装置により電子メールを受信して異常発生を知るとともに監視画像を受信して監視場所の状態を把握することができる。よって、従来のように異常発生を知るために一定の場所で監視画像を常時モニターしていなくとも、第１の通信端末装置を携帯していれば、異常発生時には、そこのとを、どこに居ても確実に把握することができる。
【００２１】
【発明の実施の形態】
次に本発明の実施の形態例について図面を参照して説明する。
図１は本発明による監視通報システムの一例を示すブロック図、図２は本発明による監視通報システムの概略構成図、図３は図１の監視通報システムが含む監視サーバー装置を構成するコンピュータの一例を示すブロック図、図４は図１の監視通報システムの動作を示すフローチャートである。以下では、これらの図面を参照して本発明の監視通報システムの一例について説明し、同時に本発明の監視通報方法、および本発明の監視通報プログラムを記録したコンピュータ読み取り可能な情報記録媒体の実施の形態例について説明する。
【００２２】
図２に示したように、本実施の形態例の監視通報システム２は、監視場所の異常を検出し通信回線を通じて通報するとともに、監視場所をカメラで撮影して画像を通信回線を介し送信する監視通報システムであって、監視サーバー装置４と、監視場所に設置され監視サーバー装置４に通信回線を介して接続された監視装置６と、インターネット７に接続されたメールサーバー装置８と、メールサーバー装置８に、携帯電話回線１１、携帯電話アクセスポイント１４、ならびにインターネット７を介して接続された携帯型の第１の通信端末装置１０とを含んでいる。なお、図２では、第１の通信端末装置１０および監視装置６は簡単のため、それぞれ１台のみが示されているが、これらの装置はそれぞれ複数であってもよい。
【００２３】
監視サーバー装置４は、コンピュータにより構成され、図３に示したように、同コンピュータ２０２は、ＣＰＵ２０４（中央処理装置）、メモリー２０６、ハードディスク装置２０８、フロッピーディスクドライブ装置２１０、ＣＤ−ＲＯＭドライブ装置２１２、表示装置２１４、キーボード２１６、マウス２１８、プリンター２２０、通信インターフェース２２１、ならびに各部を接続するバス２２２などにより構成されている。
【００２４】
そして、上記ＣＤ−ＲＯＭドライブ装置２１２に、本発明の情報記録媒体の一例を成すＣＤ−ＲＯＭ２２４を装着し、メモリー２０６上で稼働するオペレーティングシステムによる制御のもとで、ＣＤ−ＲＯＭ２２４に記録された監視通報プログラムをメモリー２０６にロードして、ＣＰＵ２０４を同プログラムにもとづいて動作させることで、コンピュータ２０２は監視サーバー装置４としての機能を果たす。なお、上記監視通報プログラムは、ＣＤ−ＲＯＭ２２４からロードする以外にも、たとえば本発明の情報記録媒体としてのハードディスク装置２０８にあらかじめ格納しておき、ハードディスク装置２０８からメモリー２０６にロードすることも無論可能である。
【００２５】
監視サーバー装置４は、本実施の形態例では、通信インターフェース２２１を介してインターネット７に接続され、また、ＩＳＤＮ回線に接続されている。
第１の通信端末装置１０は、本実施の形態例では、携帯電話アクセスポイント１４を通じてインターネット７に接続可能な携帯電話機１６（たとえばＩ−ｍｏｄｅと称される通信サービスを利用できる携帯電話機）により構成されている。
この携帯電話機１６は、ＣＰＵやＲＯＭを含むマイクロコンピュータを内蔵しており、同マイクロコンピュータを構成する、本発明の情報記録媒体の一例としての半導体ＲＯＭが保持する監視通報プログラムにもとづいてＣＰＵを動作させることで、携帯電話機１６は第１の通信端末装置１０として動作する。
【００２６】
監視装置６は、たとえば監視場所としての建物などに設置され、本実施の形態例では、センサー１８、カメラ装置２０、ならびに第２の通信端末装置２２を含んで構成されている。
センサー１８は、監視場所に侵入した人、動物、または物体を検出して電気信号を出力する。カメラ装置２０は、監視場所を撮影し撮影結果を表す画像データを所定形式の１つ、または複数の画像ファイルとして出力する。そして、第２の通信端末装置２２は、センサー１８が検出信号を出力したとき、カメラ装置２０が出力する画像データを通信回線を通じて監視サーバー装置４に送信する。
【００２７】
第２の通信端末装置２２は、本実施の形態例では一例として携帯電話機２４により構成され、携帯電話回線およびＩＳＤＮ回線を含む公衆回線２６を通じて監視サーバー装置４に接続されている。なお、第２の通信端末装置２２は、このように携帯電話機を用いる以外ににも、ＰＨＳ端末装置、構内ＰＨＳ端末装置、あるいは有線の電話機を用いることも無論可能であり、その場合にはＰＨＳ回線や有線の電話回線を通じて監視サーバー装置４に接続する。
【００２８】
また、上記カメラ装置２０としては、たとえばネットワークカメラと称されるカメラや、デジタルカメラを用いることができ、センサー１８としては一例として赤外線センサーを用いることができる。
なお、本実施の形態例では、カメラ装置２０はネットワークカメラであり、動画像を表示するために十分なフレームレートで撮影を行い、そして各フレームの画像データをそれぞれ所定形式の画像ファイルとして出力するものとする。
【００２９】
監視通報システム２は、機能的には図１に示したような構成となっている。
すなわち、監視サーバー装置４は、画像データ受信手段３６、受信検出手段３０、画像データ送信手段３２、ならびにメール送信手段３４を含んでいる。
画像データ受信手段３６は、本実施の形態例ではＦＴＰサーバーとして機能し、監視装置６の第２の通信端末装置２２から通信回線を通じて画像ファイルとしての画像データを受信する。
受信検出手段３０は、画像データ受信手段３６が画像データを監視装置６から受信したか否かを検出し、画像データ受信手段３６による画像データの受信を検出したとき、そのことを画像データ送信手段３２およびメール送信手段３４に通知する。
【００３０】
そして、画像データ送信手段３２は、本実施の形態例ではＷＷＷサーバーとして機能し、受信検出手段３０より画像データ受信の通知を受けたとき、画像データ受信手段３６が受信した画像データを、記憶装置３７（本実施の形態例ではハードディスク装置２０８）における所定名称のディレクトリの所定名称のファイルとして格納するとともに、外部からの要求に応じて同ファイルを送信する。また、画像データ送信手段３２は、画像データ受信手段３６が受信した画像データに対して画像サイズを縮小すべく加工を行った上で記憶装置３７に格納する。
【００３１】
一方、メール送信手段３４は、受信検出手段３０より画像データ受信の通知を受けたとき、画像データ送信手段３２が格納した画像データのファイルの名称、ディレクトリの名称、ならびに監視サーバー装置４を識別する情報、具体的にはＵＲＬ（Ｕｎｉｆｏｒｍ  Ｒｅｓｏｕｒｃｅ  Ｌｏｃａｔｏｒ）と、異常発生を通知する文章を含む、第１の通信端末装置１０の利用者宛の電子メールをインターネット７を通じてメールサーバー装置８に送信する。
【００３２】
また、第１の通信端末装置１０は、利用者が操作する入力手段３８、文字および画像を表示する出力手段４０、メール受信手段４２、メール表示手段４３、ならびに画像表示手段４４を含んでいる。
メール受信手段４２は、入力手段３８に対する操作にもとづき通信回線を通じメールサーバー装置８をアクセスして電子メールを取得する。メール表示手段４３は、メール受信手段４２が受信した電子メールに含まれる文字情報を出力手段４０に表示させる。
画像表示手段４４は、入力手段３８に対する操作にもとづき通信回線を通じ監視サーバー装置４の画像データ送信手段３２より画像データを取得し同画像データにもとづき出力手段４０に画像を表示させる。
【００３３】
次に、このように構成された監視通報システム２の動作について図４をも参照しつつ、詳しく説明する。
監視装置６のセンサー１８は、赤外線により常時、監視領域を監視しており、監視領域に人、動物、または物体などが侵入した場合には、そのことを検出して電気信号を出力する（ステップＳ１）。センサー１８が上記検出信号を出力すると、カメラ装置２０は一定期間稼働し、監視場所を撮影して撮影結果を表す画像データを、各画像フレームごとの複数の画像ファイルとして出力する（ステップＳ２）。そして、第２の通信端末装置２２は、公衆回線２６を通じ監視サーバー装置４に発信して監視サーバー装置４に接続し、カメラ装置２０が出力する画像ファイルを公衆回線２６を通じて監視サーバー装置４に送信する（ステップＳ３）。
【００３４】
監視サーバー装置４では、画像データ受信手段３６が、監視装置６の第２の通信端末装置２２からの画像ファイルを公衆回線２６を通じて受信する（ステップＳ４）。そして、受信検出手段３０は、画像データ受信手段３６が画像データを監視装置６から受信したことを検出し、そのことを画像データ送信手段３２およびメール送信手段３４に通知する（ステップＳ５）。
【００３５】
画像データ送信手段３２は、受信検出手段３０より画像データ受信の通知を受け取ると、画像データ受信手段３６が受信した画像ファイルを、記憶装置３７における所定名称のディレクトリの所定名称のファイルとして格納する（ステップＳ６）。なお、その際、画像データ送信手段３２は、第１の通信端末装置１０、すなわち携帯電話機の画面に画像を表示できるようにするため、画像データ受信手段３６が受信した画像データに対して画像サイズを縮小すべく加工を行った上で記憶装置３７に格納する。
【００３６】
一方、メール送信手段３４は、受信検出手段３０より画像データ受信の通知を受けたとき、画像データ送信手段３２が格納した画像データのファイルの名称、ディレクトリの名称、ならびに監視サーバー装置４を識別する情報、具体的にはＵＲＬと、異常発生を通知する文章を含む、第１の通信端末装置１０の利用者宛の電子メールをインターネット７を通じてメールサーバー装置８に送信する（ステップＳ７）。
【００３７】
メールサーバー装置８は、この電子メールを受信すると、電子メールが着信したことを、第１の通信端末装置１０に発信して同端末の利用者に通知する。
これにより、第１の通信端末装置１０の利用者が、第１の通信端末装置１０の入力手段３８で電子メールを受信すべく操作すると、メール受信手段４２はメールサーバー装置８から、携帯電話回線１１およびアクセスポイント１４を通じて上記監視サーバー装置４が送信した電子メールを取得し、メール表示手段４３は、このメール受信手段４２が受信した電子メールの内容を文字情報として出力手段４０に表示させる（ステップＳ８）。
【００３８】
これにより第１の通信端末装置１０の利用者は監視場所で異常が発生したことを知ることができ、直ちに、電子メールで通知された上記ＵＲＬにもとづいて監視画像を取得すべく入力手段３８を操作する。その結果、画像表示手段４４は、インターネット７を通じ監視サーバー装置４の画像データ送信手段３２に要求して画像ファイルを取得し（ステップＳ９）同画像ファイルにもとづき出力手段４０に監視場所の画像を動画像として表示させる（ステップＳ１０）。利用者はこの画像を見て監視場所の状態を把握することができる。
【００３９】
このように、本実施の形態例では、監視場所で異常が発生した場合には、そのことが電子メールにより通知され、利用者は携帯型の第１の通信端末装置１０により電子メールを受信して異常発生を知るとともに監視画像を受信して監視場所の状態を把握することができる。よって、従来のように異常発生を知るために一定の場所で監視画像を常時モニターしていなくとも、第１の通信端末装置１０を携帯していれば、異常発生時には、そこのとを、出先など、どこに居ても確実に把握することができる。
【００４０】
次に、本発明の第２の実施の形態例について説明する。
図５は第２の実施の形態例の監視通報システムを示す機能ブロック図である。
図中、図１と同一の要素には同一の符号が付されており、それらに関する説明はここでは省略する。
図５に示した第２の実施の形態例の監視通報システム４６は、上記実施の形態例とは監視サーバー装置および第１の通信端末装置の機能的な構成の点で異なっている。
第２の実施の形態例の監視サーバー装置４８では、図１に示した監視サーバー装置４における画像データ送信手段３２が削除され、一方、画像加工手段５０が追加され、また、メール送信手段３４の機能が拡張されている。
すなわち、監視サーバー装置４８のメール送信手段５２は、受信検出手段３０より画像データ受信の通知を受けたとき、画像データ受信手段３６が受信した画像データを含んで異常発生を通知する、第１の通信端末装置１０の利用者宛の電子メールを通信回線を通じてメールサーバー装置８に送信する。より詳しくは、メール送信手段５２は画像データ受信手段３６が受信した画像ファイルを電子メールに添付してメールサーバー装置８に送信する。
【００４１】
ただし、その際、画像加工手段５０は、画像データ受信手段３６が受信した画像ファイルに対して画像サイズを縮小すべく加工を行ってメール送信手段５２に供給し、メール送信手段５２はこれをメールサーバー装置８に送信する。
また、第２の実施の形態例の第１の通信端末装置４９では、画像表示手段の機能が、上記実施の形態例の場合と異なっている。すなわち、画像表示手段５６は、メール受信手段４２が受信した電子メールに含まれる画像データ、すなわち電子メールに添付された画像ファイルにもとづき出力手段４０に画像を表示させる。
【００４２】
したがって、第２の実施の形態例の監視通報システム４６では、上記実施の形態例の場合と同様の効果が得られることに加えて、利用者が自身の端末装置で監視画像をモニターする際、利用者は電子メールを受信して、電子メールに添付された画像を表示させるのみでよく、上記実施の形態例の場合のように、ＵＲＬにもとづいて監視サーバー装置４から画像を取得する必要がない。そのため、より簡単に監視画像を端末装置に表示させることができる。
【００４３】
以上、本発明について実施の形態例をもとに説明したが、本発明はこれらの例に限定されることなく種々の形態で実施することができる。
たとえば、カメラ装置２０は雲台上に取り付けて雲台により駆動してパンさせたりチルトさせる構成とすることできる。その場合には、第１の通信端末装置１０において、カメラ装置２０のパンおよびチルトの程度をたとえば数値で入力する欄を含む画面を出力手段４０に表示させ、利用者がこれらの欄に入力した数値情報を監視サーバー装置４を通じて監視装置６の上記雲台に供給し、カメラ装置２０のパンおよびチルトを制御することができる。これにより、利用者は自身でカメラ装置２０による撮影箇所を自由に選択でき、いっそう利便性が向上する。
さらに、カメラ装置２０がズーム機能を備えている場合には、パンやチルトの場合と同様にカメラ装置２０のズームも利用者が自由に制御できるようにすることも容易である。
【００４４】
また、上記実施の形態例では、監視装置６から動画像を表示するための画像データを送信し、第１の通信端末装置１０では監視サーバー装置４からの画像データにもとづいて動画像を表示するとしたが、監視装置６で静止画像を撮影し、第１の通信端末装置１０でその静止画像を表示する構成とすることも無論可能であり、そのような構成を上記実施の形態例を変形して実現することは、当業者にとって容易である。
【００４５】
監視装置６により監視する対象は、不正な侵入者などに限る必要はなく、たとえば監視装置６を自宅などに設置して、留守中の来訪者の有無を監視することも可能である。
また、監視サーバー装置４に携帯電話機やＰＨＳ端末装置を接続し、監視装置６との間で、携帯電話回線、公衆ＰＨＳ回線、あるいは構内ＰＨＳ回線など通じて通信を行う構成とすることも可能である。
そして、本実施の形態例では、第１の通信端末装置１０の利用者は、監視サーバー装置４からのメールにより異常発生の通知を受けて監視画像を見る構成としたが、利用者が第１の通信端末装置１０から適宜、自発的に監視サーバー装置４の画像データ送信手段３２に要求して、上記記憶装置に格納されている画像ファイルを取得し、画像を表示させるようにすることも可能である。
【００４６】
さらに、本実施の形態例では、メールサーバー装置８が電子メールを受信したとき、電子メールの着信を第１の通信端末装置１０に通知するとしたが、この電子メールの着信通知は行わず、利用者が適宜、メールサーバー装置８をアクセスしてメールの着信をチェックする方式としてもよい。ただし、その場合には、利用者がメールサーバー装置８をアクセスするまで異常発生を知ることができないため、監視場所における異常発生をリアルタイムで知るという点では不利となる。
【００４７】
【発明の効果】
以上説明したように本発明の監視通報方法および本発明の情報記録媒体に記録された監視通報プログラムでは、監視サーバー装置において、画像データ受信ステップで、監視装置のセンサーが異常を検出しカメラ装置が撮影した画像のデータを監視装置から通信回線を通じて受信し、画像データ送信ステップでは、画像データ受信ステップにおいて受信した上記画像データを、記憶装置における所定名称のディレクトリの所定名称のファイルとして格納する。
そして、メール送信ステップでは、画像データ受信ステップで画像データを受信したとき、画像データ送信ステップで格納した画像データのファイルの名称、ディレクトリの名称、ならびに監視サーバー装置を識別する情報を含んで異常発生を通知する、第１の通信端末装置の利用者宛の電子メールを通信回線を通じてメールサーバー装置に送信する。
【００４８】
その後、第１の通信端末装置では、利用者が第１の通信端末装置の入力手段で電子メールを受信すべく操作すると、メール受信ステップで、第１の通信端末装置の入力手段に対する利用者の操作にもとづき通信回線を通じメールサーバー装置をアクセスして電子メールを取得し、メール表示ステップで、上記電子メールに含まれる文字情報を第１の通信端末装置の出力手段に表示させる。
これにより第１の通信端末装置の利用者は監視場所で異常が発生したことを知ることができ、直ちに、電子メールで通知された、監視サーバー装置を識別する情報、ディレクトリの名称、ファイルの名称にもとづいて監視画像を取得すべく入力手段を操作すると、画像表示ステップで、入力手段に対する操作にもとづき通信回線を通じ、監視サーバー装置における画像データ送信ステップで送信する画像データを取得し同画像データにもとづき出力手段に画像を表示させる。利用者はこの画像を見て監視場所の状態を把握することができる。
【００４９】
また、本発明の監視通報方法および本発明の情報記録媒体に記録された監視通報プログラムでは、監視サーバー装置において、画像データ受信ステップにて画像データを受信したとき、メール送信ステップで、画像データ受信ステップで受信した画像データを含んで異常発生を通知する、第１の通信端末装置の利用者宛の電子メールを通信回線を通じてメールサーバー装置に送信する。
【００５０】
そして、第１の通信端末装置の利用者が、第１の通信端末装置の入力手段で電子メールを受信すべく操作すると、第１の通信端末装置において、メール受信ステップで、メールサーバー装置から、上記監視サーバー装置が送信した電子メールを取得し、メール表示ステップでは、この電子メールの内容を文字情報として出力手段に表示させる。また、このとき、画像表示ステップでは、メール受信ステップで受信した電子メールに含まれる画像データにもとづき出力手段に画像を表示させる。利用者はこの画像を見て監視場所の状態を把握することができる。
【００５１】
本発明の監視通報システムでは、監視装置のセンサーは、監視場所に人、動物、または物体が侵入したことを検出すると、そのことを表す電気信号を出力する。これにより、第２の通信端末装置は、カメラ装置が監視場所を撮影して出力する画像データを通信回線を通じて監視サーバー装置に送信する。
【００５２】
監視サーバー装置では、この画像データを画像データ受信手段が通信回線を通じて受信し、画像データ送信手段は、画像データ受信手段が受信した画像データを、記憶装置における所定名称のディレクトリの所定名称のファイルとして格納する。また、このとき、メール送信手段は、画像データ送信手段が格納した画像データのファイルの名称、ディレクトリの名称、ならびに監視サーバー装置を識別する情報を含んで異常発生を通知する、第１の通信端末装置の利用者宛の電子メールを通信回線を通じてメールサーバー装置に送信する。
【００５３】
そして、第１の通信端末装置の利用者が、第１の通信端末装置の入力手段で電子メールを受信すべく操作すると、メール受信手段はメールサーバー装置から、上記監視サーバー装置が送信した電子メールを取得し、メール表示手段は、このメール受信手段が受信した電子メールの内容を文字情報として出力手段に表示させる。
これにより第１の通信端末装置の利用者は監視場所で異常が発生したことを知ることができ、直ちに、電子メールで通知された、監視サーバー装置を識別する情報、ディレクトリの名称、ファイルの名称にもとづいて監視画像を取得すべく入力手段を操作すると、画像表示手段は、通信回線を通じ監視サーバー装置の画像データ送信手段に要求して上記画像データを取得し同画像データにもとづき出力手段に監視場所の画像を表示させる。利用者はこの画像を見て監視場所の状態を把握することができる。
【００５４】
また、本発明の監視通報システムでは、監視サーバー装置のメール送信手段は、画像データ受信手段が画像データを受信したとき、画像データ受信手段が受信した画像データを含んで異常発生を通知する、第１の通信端末装置の利用者宛の電子メールを通信回線を通じてメールサーバー装置に送信する。
【００５５】
そして、第１の通信端末装置の利用者が、第１の通信端末装置の入力手段で電子メールを受信すべく操作すると、メール受信手段はメールサーバー装置から、上記監視サーバー装置が送信した電子メールを取得し、メール表示手段は、このメール受信手段が受信した電子メールの内容を文字情報として出力手段に表示させる。また、このとき、画像表示手段は、メール受信手段が受信した電子メールに含まれる画像データにもとづき出力手段に画像を表示させる。利用者はこの画像を見て監視場所の状態を把握することができる。
【００５６】
このように、本発明では、監視場所で異常が発生した場合には、そのことが電子メールにより通知され、利用者は携帯型の第１の通信端末装置により電子メールを受信して異常発生を知るとともに監視画像を受信して監視場所の状態を把握することができる。よって、従来のように異常発生を知るために一定の場所で監視画像を常時モニターしていなくとも、第１の通信端末装置を携帯していれば、異常発生時には、そこのとを、どこに居ても確実に把握することができる。
【図面の簡単な説明】
【図１】本発明による監視通報システムの一例を示すブロック図である。
【図２】本発明による監視通報システムの概略構成図である。
【図３】図１の監視通報システムが含む監視サーバー装置を構成するコンピュータの一例を示すブロック図である。
【図４】図１の監視通報システムの動作を示すフローチャートである。
【図５】第２の実施の形態例の監視通報システムを示す機能ブロック図である。
【符号の説明】
２、４６  監視通報システム
４、４８  監視サーバー装置
６  監視装置
７  インターネット
８  メールサーバー装置
１０  第１の通信端末装置
１４  携帯電話アクセスポイント
１６、２４  携帯電話機
１８  センサー
２０  カメラ装置
２２  第２の通信端末装置
２６  公衆回線
【図１】
0004553221.tif 000002
【図２】
0004553221.tif 000003
【図３】
0004553221.tif 000004
【図４】
0004553221.tif 000005
【図５】
0004553221.tif 000006